(57)【要約】【課題】専用の入力端末や専門知識を必要とせず、簡易的な構成で電気錠の各種設定を行える。【解決手段】配信サーバ１０は、錠前の施解錠に必要な各種設定を電気錠装置３０に行うべく携帯電話２０上で実行可能な設定アプリの配信を可能とする。携帯電話２０は、アクセスにより配信サーバ１０から配信されてインストールされる設定用アプリを起動したときに、画面上で各種設定に関する設定用データの編集・保存を可能とし、電気錠装置３０との間の非接触通信によって設定データを電気錠装置３０に送信する。電気錠装置３０は、携帯電話２０から送信される設定データに基づいて自動セットアップする。【選択図】図１
2009019423.tif 000002
【特許請求の範囲】
【請求項１】
電池を駆動源として錠前を電気的に施解錠制御する電気錠装置を備え、該電気錠装置との間で非接触通信可能な携帯電話を用いた電気錠システムであって、
前記錠前の施解錠に必要な各種設定を前記電気錠装置に行うべく前記携帯電話上で実行可能な設定用アプリケーションソフトウェアの配信が可能な配信サーバを備え、
前記携帯電話は、前記配信サーバから配信されてインストールされる前記設定用アプリケーションソフトウェアの起動により、画面上で前記各種設定に関する設定データの編集・保存を可能とし、前記電気錠装置との間の非接触通信によって前記設定データを前記電気錠装置に送信し、
該電気錠装置は、前記携帯電話から送信される前記設定データに基づいて自動セットアップすることを特徴とする電気錠システム。
【請求項２】
前記配信サーバは、さらに前記電気錠装置から各種ログを収集するべく前記携帯電話上で実行可能な収集用アプリケーションソフトウェアの配信を可能とし、
前記携帯電話は、前記配信サーバから配信されてインストールされる前記収集用アプリケーションソフトウェアの起動により、前記電気錠装置との間の非接触通信によって前記電気錠装置から各種ログ情報を取得し、該取得した各種ログ情報を画面上に表示することを特徴とする請求項１記載の電気錠システム。
【請求項３】
前記携帯電話は、前記電気錠装置から取得した各種ログをメール送信したときに、当該メール送信した相手先からの前記各種ログ情報の解析結果に基づく指示を受信可能とすることを特徴とする請求項２記載の電気錠システム。
【発明の詳細な説明】
【技術分野】
【０００１】
本発明は、例えばホテル客室、オフィスビル等の商業施設や公共施設の入出口、住宅玄関等の扉に内蔵された錠前を電気的に施解錠制御する電気錠装置を備えた電気錠システムに係り、特に電気錠装置との間で非接触通信可能な携帯電話を用いて電気錠装置に必要な各種設定や電気錠装置から各種ログ情報の収集が行える電気錠システムに関するものである。
【背景技術】
【０００２】
近年、防犯対策の強化を目的として、例えばホテルやオフィスビル等の商業施設や公共施設の入出口、集合住宅や一般住宅のエントランスや玄関等には、例えば携帯電話や携帯型の無線リモコンキー、磁気カードや非接触型ＩＣカード等のＩＤキーに記憶された施解錠情報を正常に認証することで錠の施解錠を行う電気錠システムが採用されている。
【０００３】
しかしながら、電気錠を設置するにあたっては、電気錠に駆動電源を供給する商用電源や電気錠制御盤等の電源供給部と電気錠との間で配線工事が必要となるため設置作業が煩雑であった。そこで、このような設置時の配線工事を省くため、電池を使用して電気錠各部の駆動に必要な電源を供給する電気錠装置として、例えば下記特許文献１に開示されるものが提案されている。
【０００４】
特許文献１に開示された遠隔施解錠装置１００は、図６に示すように、電気錠の施錠ならびに解錠に必要な信号を送信する送信機１０１と、電池１０２から給電される制御回路１０３とを備えている。制御回路１０３は、送信機１０１から送信された信号を受信する受信回路１０３ａを備え、送信機１０１から受信した信号に基づいて、電気錠を施解錠動作している。この制御回路１０３は、電池１０２の電圧が所定の電圧以下となり、電気錠が所定の回数施解錠動作された後、電気錠を不作動状態としている。そして、この不作動状態において、電池１０２から制御回路１０３に給電を行い、その後送信機１０１から解錠に必要な信号が送信されて受信回路１０３ａが受信すると、１回のみ解錠動作を行っている。
【特許文献１】特開２００５−７６１９８号公報
【発明の開示】
【発明が解決しようとする課題】
【０００５】
ところで、このような電池式の電気錠システムでは、電池を駆動源とするため、オフライン構成であり、外部との通信手段が限られていた。このため、専用の入力端末を用いて電気錠装置の各種設定を行ったり、施解錠に関するログ情報の収集を行っていた。
【０００６】
従って、従来の電池式の電気錠システムでは、電気錠装置を備えた各物件や各住居毎に、メンテナンス業者が専用の入力端末を持ち歩いて管理・維持しなければならず、メンテナンス作業が煩雑であった。しかも、専用の入力端末を用いるため、取扱いを覚えるのに抵抗を感じたり、ハードウェアを開発するための費用が嵩むという問題もあった。
【０００７】
さらに、この種の電池式の電気錠システムは、通信機能を備えておらず、電気錠装置に異常が生じた場合には、電気錠装置内の各種データを専用の入力端末で一旦取り出し、パソコン等の通信機能を備えた外部端末にデータを移植した後、必要なデータを問い合わせ先にメール送信していた。
【０００８】
このため、必要なデータの送受信を行う度に外部端末にデータ移動を行う必要があり、その作業が面倒であった。また、パソコンにデータを移植しても、通信環境が整っていない場合には送信できないという問題もあった。そして、この種のシステムにおいて、有線でオンラインを図るためには膨大な導入費用が発生し、また無線でオンラインを図るためには技術的に難しいという問題があった。
【０００９】
そこで、本発明は上記問題点に鑑みてなされたものであり、専用の入力端末や専門知識を必要とせず、簡易的な構成で電気錠の各種設定や各種ログ情報の収集を行うことができる電気錠システムを提供することを目的とするものである。
【課題を解決するための手段】
【００１０】
上記した目的を達成するために、請求項１に記載された電気錠システムは、電池を駆動源として錠前を電気的に施解錠制御する電気錠装置を備え、該電気錠装置との間で非接触通信可能な携帯電話を用いた電気錠システムであって、
前記錠前の施解錠に必要な各種設定を前記電気錠装置に行うべく前記携帯電話上で実行可能な設定用アプリケーションソフトウェアの配信が可能な配信サーバを備え、
前記携帯電話は、前記配信サーバから配信されてインストールされる前記設定用アプリケーションソフトウェアの起動により、画面上で前記各種設定に関する設定データの編集・保存を可能とし、前記電気錠装置との間の非接触通信によって前記設定データを前記電気錠装置に送信し、
該電気錠装置は、前記携帯電話から送信される前記設定データに基づいて自動セットアップすることを特徴としている。
【００１１】
請求項２に記載された電気錠システムは、請求項１の電気錠システムにおいて、前記配信サーバは、さらに前記電気錠装置から各種ログ情報を収集するべく前記携帯電話上で実行可能な収集用アプリケーションソフトウェアの配信を可能とし、
前記携帯電話は、前記配信サーバから配信されてインストールされる前記収集用アプリケーションソフトウェアの起動により、前記電気錠装置との間の非接触通信によって前記電気錠装置から各種ログ情報を取得し、該取得した各種ログ情報を画面上に表示することを特徴としている。
【００１２】
請求項３に記載された電気錠システムは、請求項２の電気錠システムにおいて、前記携帯電話は、前記電気錠装置から取得した各種ログ情報をメール送信したときに、当該メール送信した相手先からの前記各種ログ情報の解析結果に基づく指示を受信可能とすることを特徴としている。
【発明の効果】
【００１３】
本発明に係る電気錠システムによれば、市販の携帯電話の機能を利用して電気錠装置の各種設定やログ情報の収集に係る処理を行うことができるので、従来のような専用の入力端末を用意する必要がなく、現場への持ち忘れもなくなり、導入費用、維持・管理からも解放される。
【００１４】
しかも、日常から使い慣れた携帯電話を使用するので、使用者の苦手意識を払拭することができる。さらに、携帯電話の通信機能を応用することで、問い合わせの対応が早くなるとともに、既に市場で実績のある非接触通信技術を応用するので、専用のアプリケーションソフトウェアの開発時におけるリスクも少なくすることができる。
【発明を実施するための最良の形態】
【００１５】
以下、本発明の最良の形態について、添付した図面を参照しながらそれぞれ詳細に説明する。図１は本発明に係る電気錠システムの概略構成を示すブロック図、図２は本発明に係る電気錠システムの設定用アプリケーションソフトウェアのインストールに関する動作フローチャート、図３は本発明に係る電気錠システムの設定に関する動作フローチャート、図４は本発明に係る電気錠システムのログ情報の収集に関する動作フローチャート、図５は本発明に係る電気錠システムの具体的な構成例を示す図である。
【００１６】
本例の電気錠システム１は、例えば図１に示すように、配信サーバ１０、携帯電話２０、電気錠装置３０、問い合わせ先端末４０から構築され、電気錠装置３０への各種設定や電気錠装置３０からの各種ログ情報の取得に携帯電話２０を用いている。以下、各構成要素について詳述する。
【００１７】
なお、本例の電気錠システム１では、施解錠時に、例えばリモコンキー、携帯電話、カード状記憶媒体などで構成されるＩＤキー５０が使用される。このＩＤキー５０は、施解錠時に、正当なＩＤキー５０であるか否かを認証するための施解錠情報（例えば部屋番号、機器番号などの機器情報や暗証情報など）が記憶されている。そして、このＩＤキー５０の施解錠情報は、施解錠時に、利用者によって施解錠操作されることにより電気錠装置３０に取得される。
【００１８】
配信サーバ１０は、携帯電話専用のアプリケーションソフトウェアを配信するサーバで構成される。配信サーバ１０は、図１に示すように、データベース１１を備えて構成され、例えばインターネット等の通信ネットワークを介して携帯電話２０と通信可能に接続されている。
【００１９】
データベース１１は、携帯電話２０上で実行可能な各種携帯電話に対応したアプリケーションソフトウェア（例えばｉアプリ、ＥＺアプリ、Ｓ！アプリなど）を記憶している。このアプリケーションソフトウェア（以下、アプリと略称する）としては、電気錠装置３０に各種設定を行うための設定用アプリケーションソフトウェア（以下、設定用アプリと略称する）、電気錠装置３０から各種ログ情報を取得するための収集用アプリケーションソフトウェア（以下、収集用アプリと略称する）を記憶している。
【００２０】
設定用アプリは、携帯電話２０から電気錠装置３０に各種設定を行うときに携帯電話２０上で起動されるもので、電気錠装置３０の各種設定（例えば物件コード、日時設定、使用ＩＤ登録、動作モードなど）の初期設定データを含み、この初期設定データを必要に応じて編集するためのソフトウェアで構成される。
【００２１】
また、収集用アプリは、携帯電話２０が電気錠装置３０から各種ログ情報（例えば操作情報、エラー情報、メンテナンス情報、設定情報など）を取得するときに携帯電話２０上で起動されるソフトウェアで構成される。
【００２２】
この配信サーバ１０は、携帯電話２０から配信要求があったときに、利用者が選択希望する各種アプリ（設定用アプリ、収集用アプリ）を携帯電話２０に配信している。
【００２３】
次に、携帯電話２０は、一般ユーザーやメンテナンス業者などが所持する市販の電話からなり、機器本体内に非接触型ＩＣチップを内蔵したＩＣチップ内蔵タイプ若しくは非接触型ＩＣ内蔵カードが装着可能に構成される。本例では、この携帯電話２０が、電気錠装置３０への各種設定や電気錠装置３０からの各種ログ情報の収集を行う際の端末として利用される。この携帯電話２０は、図１に示すように、操作部２１、非接触通信部２２、制御部２３、記憶部２４、表示部２５、報知部２６を備えて構成される。
【００２４】
操作部２１は、利用者が操作する例えばテンキーを含む各種操作キーからなる。操作部２１は、電気錠装置３０の各種設定やログ情報収集を行う際に所定操作をして各種アプリを起動させる際に操作される。また、操作部２１は、電気錠装置３０との間で非接触通信を行う際や、各種アプリを表示部２５に表示させた状態での表示内容の編集時に操作される。
【００２５】
非接触通信部２２は、例えば非接触ＩＣカード技術方式であるＦｅｌｉＣａ（登録商標）によって電気錠装置３０との間で相互に非接触通信が可能なリーダ／ライタで構成される。非接触通信部２２では、設定用アプリを起動した状態で携帯電話２０本体を電気錠装置３０の通信エリア範囲内に近接させて設定操作を行ったときに、記憶部２４に記憶された各種設定データを非接触通信によって電気錠装置３０に送信している。また、非接触通信部２２は、収集用アプリを起動した状態で携帯電話２０本体を電気錠装置３０の通信エリア範囲内に近接させて収集操作を行ったときに、電気錠装置３０の各種ログ情報を電気錠装置３０から非接触通信によって収集している。
【００２６】
制御部２３は、例えばＣＰＵ、ＲＯＭ、ＲＡＭ等を含むマイクロコンピュータで構成され、携帯電話２０を電話として使用するのに必要な各種制御の他、配信サーバ１０から各種アプリを取得するための制御、取得した各種アプリを起動させるための制御、取得した各種アプリを記憶部２４にインストールさせる制御、操作部２１の操作によって起動した各種アプリに係る表示内容を選択的に表示部２５の表示画面上に表示する制御、表示制御した各種アプリに係る表示内容の編集処理に伴う制御、編集後の各種情報を記憶部２４に記憶させる制御などを行っている。
【００２７】
ここで、起動した各種アプリに対して制御部２３が行う制御内容についてそれぞれ具体的に説明する。
【００２８】
まず、操作部２１の操作によって設定用アプリを起動すると、制御部２３は、携帯電話２０のモードを、電気錠装置３０の各種設定を行うための設定用モードに切り替え制御し、表示部２５に電気錠装置３０の初期設定データを含む設定項目を表示制御する。このとき、操作部２１によって表示内容が編集されると、その編集後の表示内容を記憶部２４に記憶する。また、制御部２３は、携帯電話２０本体を通信エリア範囲内に近接させて操作部２１が操作されると、設定データを非接触通信部２２から電気錠装置３０に送信する制御をし、設定データの送信が完了すると、完了した旨を報知する制御をしている。
【００２９】
また、操作部２１の操作によって収集用アプリを起動すると、制御部２３は、携帯電話２０のモードを、電気錠装置３０から各種ログ情報を収集するための収集用モードに切り替え制御している。さらに、制御部２３は、携帯電話２０本体を通信エリア範囲内に近接させて操作部２１が操作されると、電気錠装置３０から各種ログ情報を収集する制御をし、ログ情報の収集が完了すると、完了した旨を報知する制御をしている。また、制御部２３は、収集した各種ログ情報を項目毎に表示制御したり、収集した各種ログ情報を問い合わせ先端末４０に送信する制御をしている。
【００３０】
記憶部２４は、例えば磁気的、光学的記憶媒体若しくはＲＯＭ、ＲＡＭ等の半導体メモリで構成され、携帯電話２０を電話として使用するのに必要な各種制御情報の他、配信サーバ１０から取得した各種アプリ、操作部２１の操作により編集された設定データ、電気錠装置３０からの各種ログ情報などを記憶している。
【００３１】
表示部２５は、携帯電話２０を電話として使用する際に必要な表示内容の他、操作部２１の操作によって起動した各種アプリ毎の表示内容、電気錠装置３０の各種設定データ、電気錠装置３０から収集した各種ログ情報などを表示画面上に表示している。
【００３２】
報知部２６は、鳴動装置やバイブレータで構成され、電気錠装置３０に対して各種設定データの送信が完了したときや電気錠装置３０から各種ログ情報の収集が完了したときに、鳴動装置を鳴動させたりバイブレータを振動させることで、利用者に対して各種設定データの送信若しくは各種ログ情報の収集が完了したことを報知している。
【００３３】
なお、この報知方法としては、上記のような鳴動や振動に限らず、例えば表示部２５に対して設定データの送信若しくはログ情報の収集が完了した旨を表示することも可能であり、上記鳴動や振動による報知方法と組み合わせても良い。
【００３４】
次に、電気錠装置３０は、電池を駆動源としたスタンドアロンな構成であり、ＩＤキー５０からの施解錠情報を正常認証したときに現在の錠前及び扉の状態に応じて錠前を電気的に施解錠制御するものである。この電気錠装置３０は、図１に示すように、非接触通信部３１、記憶部３２、制御部３３、報知部３４、施解錠機構３５、電源部３６を備えて構成される。
【００３５】
非接触通信部３１は、携帯電話２０との間で相互に非接触通信を行うリーダ／ライタで構成され、例えば扉や扉付近の所定箇所に位置して設けられる。この非接触通信部３１は、設定用モード若しくは収集用モードに制御された携帯電話２０が通信エリア範囲内に近接したときに、この携帯電話２０との間で非接触通信が行われ、携帯電話２０から送信された各種設定データを受信したり、記憶部３２に記憶された電気錠装置３０の各種ログ情報を携帯電話２０に送信している。
【００３６】
記憶部３２は、例えば磁気的、光学的記憶媒体若しくはＲＯＭ、ＲＡＭ等の半導体メモリで構成され、電気錠装置３０を駆動するために必要な各種制御情報の他、施解錠時にＩＤキー５０から送信された施解錠情報が正当な情報であるか否かを判別するための認証用施解錠情報、携帯電話２０から受信した電気錠装置３０の設定データ、例えば操作情報、エラー情報、メンテナンス情報、設定情報、モニタ情報としての状態信号（錠前の施解錠状態信号や扉の開閉状態信号）等の電気錠装置３０に関わる各種ログ情報を記憶している。
【００３７】
制御部３３は、例えばＣＰＵ、ＲＯＭ、ＲＡＭ等を含むマイクロコンピュータで構成され、ＩＤキー５０から取得した施解錠情報と予め記憶部３２に記憶された認証用施解錠情報とを照合して正当性を判別し、正常に認証したときのみ現在の錠前の施解錠状態と扉の開閉状態に応じて錠前を電気的に解錠（又は施錠）制御するべく施解錠機構３５に駆動制御信号を出力している。
【００３８】
また、制御部３３は、設定用モード（設定用アプリを起動した状態）の携帯電話２０が非接触通信部３１の通信エリア範囲内に近接したときに、非接触通信部３１を介して携帯電話２０から各種設定データを受信する制御をしている。そして、制御部３３は、この受信した各種設定データを記憶部３２に記憶させるとともに、この受信した各種設定データに基づいて電気錠装置３０の各種設定の自動セットアップを行っている。また、制御部３３は、携帯電話２０からの各種設定データに基づく電気錠装置３０の設定が完了すると、この設定が完了した旨を報知する制御をしている。
【００３９】
さらに、制御部３３は、収集用モード（収集用アプリを起動した状態）の携帯電話２０が非接触通信部３１の通信エリア範囲内に近接したときに、記憶部３２に記憶された各種ログ情報を携帯電話２０に対して送信し、携帯電話２０に対する各種ログ情報の送信が完了すると、この完了した旨を報知する制御をしている。
【００４０】
報知部３４は、鳴動装置やＬＥＤや液晶などの表示機器で構成され、電気錠装置３０からの各種設定データに基づく各種設定が完了したときや携帯電話２０に対する各種ログ情報の送信が完了したときに、鳴動装置を鳴動させたり表示機器を所定表示させることで、利用者に対して電気錠装置３０の各種設定若しくは各種ログ情報の送信が完了した旨を報知している。
【００４１】
施解錠機構３５は、例えばモータやソレノイド等の駆動装置と錠前で構成され、制御部３３から入力される駆動制御信号により錠前を施錠または解錠するべく駆動し、扉枠の係止穴に対してデッドボルトを突出（施錠時）又は引き込む（解錠時）ことにより錠前が施解錠される。
【００４２】
電源部３６は、例えばボタン電池や乾電池等の電池が着脱交換可能な電源ユニットで構成され、扉の所定箇所若しくは扉近傍に設けられる。電源部３６は、制御部３３の制御により、電気錠装置３０の各部に必要な駆動電源を供給している。
【００４３】
次に、問い合わせ先端末４０は、図１に示すように、電気錠システム１の運用・保守を管理する業者の問い合わせ窓口に配設される端末装置で構成される。問い合わせ先端末４０は、携帯電話２０からメールにて各種ログ情報が送信されたときに、その各種ログ情報から問い合わせ内容を解析し、その解析結果に応じた指示を返信メールや電話により携帯電話２０に伝達している。
【００４４】
次に、上記のように構成される本例の電気錠システム１の各動作について、図２〜図４を参照しながらそれぞれ順を追って説明する。
【００４５】
まず、図２を参照しながら所望のアプリ（設定用アプリ、収集用アプリ）を携帯電話２０上にインストールする動作について説明する。利用者は、携帯電話２０から配信サーバ１０に対してアクセスし（ＳＴ１）、配信サーバ１０に記憶される複数のアプリの中から必要なアプリ（設定アプリ、収集アプリ）を選択してダウンロードする（ＳＴ２）。そして、利用者は、配信サーバ１０からダウンロードしたアプリを携帯電話２０にインストールする（ＳＴ３）。
【００４６】
次に、図３を参照しながら携帯電話２０にインストールされた設定用アプリを起動して、電気錠装置３０の設定を行う動作について説明する。まず、利用者は、携帯電話２０上で設定用アプリを起動し、携帯電話２０のモードを設定用モードに切り替える（ＳＴ１１）。次に、携帯電話２０上で起動した設定用アプリの各種設定項目に設定される設定データを必要に応じて表示画面上で編集設定し（ＳＴ１２）、各種設定項目毎の設定データを携帯電話２０上に保存する（ＳＴ１３）。
【００４７】
そして、各種設定データの編集が完了すると、携帯電話２０を電気錠装置３０の非接触通信部３１にかざして、電気錠装置３０に各種設定データを送信する（ＳＴ１４）。携帯電話２０は、各種設定データの送信が完了すると、鳴動又は振動して、設定データの送信が完了した旨を報知する（ＳＴ１５）。電気錠装置３０は、携帯電話２０から送信された設定データに基に自動セットアップを行い（ＳＴ１６）、設定が完了すると、鳴動又は所定表示をして設定データに基づく設定が完了した旨を利用者に報知する（ＳＴ１７）。
【００４８】
尚、ＳＴ１３の各種設定項目毎の設定データの保存後に、設定用アプリを終了させた場合には、再度設定用アプリを起動し、携帯電話２０のモードを設定用モードに切り替えた後、携帯電話２０を電気錠装置３０の非接触通信部３１にかざして、電気錠装置３０に各種設定データを送信する。
【００４９】
次に、図４を参照しながら携帯電話２０にインストールされた収集用アプリを起動して、電気錠装置３０から各種ログ情報を収集し、その収集した各種ログ情報を問い合わせ先に送信する動作について説明する。まず、利用者は、携帯電話２０上で収集用アプリを起動し、携帯電話２０のモードを収集用モードに切り替える（ＳＴ２１）。次に、携帯電話２０を電気錠装置３０の非接触通信部３１にかざし、電気錠装置３０から各種ログ情報を携帯電話２０に収集する（ＳＴ２２）。そして、この各種ログ情報の収集が完了すると、携帯電話２０が振動又は鳴動し、電気錠装置３０が鳴動又は所定表示を行い、各種ログ情報の収集が完了した旨を利用者に報知する（ＳＴ２３）。
【００５０】
そして、各種ログ情報の収集が完了すると、利用者は携帯電話２０上で各種ログ情報を閲覧して確認し（ＳＴ２４）、携帯電話２０の通信機能（メール機能）を使って各種ログ情報を問い合わせ先端末４０へ送信する（ＳＴ２５）。
【００５１】
そして、問い合わせ先端末４０は、携帯電話２０から送信された各種ログ情報に基づいて問い合わせ内容を解析し、その解析結果に応じた指示を返信メールや電話により携帯電話２０に伝達している。
【００５２】
ここで、図５は上述した電気錠システム１の具体的な構成例を示している。図５の電気錠システム１は、錠前が電気的に施解錠制御される電池式の電気錠装置３０と、電気錠装置３０との間で通信可能な市販の携帯電話２０と、携帯電話２０専用のアプリ（ｉアプリ）の配信が可能な配信サーバ１０と、携帯電話２０との間で通信可能な問い合わせ窓口の外部端末とから構築される。
【００５３】
図５に示す電気錠システム１では、一般ユーザーやメンテナンス業者が必要に応じて自身が所持する携帯電話２０から配信サーバ１０にアプリの配信要求をし、配信サーバ１０から必要なアプリ（設定用アプリ、収集用アプリ）をダウンロードして携帯電話２０にインストールする。これにより、携帯電話２０の画面上で電気錠装置３０に設定する各種設定データを編集して保存し、携帯電話２０を電気錠装置３０にかざしてＦｅｌｉＣａ（登録商標）通信を利用すれば、携帯電話２０から各種設定データを電気錠装置３０に送信し、この各種設定データを基に電気錠装置３０を自動セットアップすることができる。また、収集用アプリを起動して携帯電話２０を電気錠装置３０にかざし、ＦｅｌｉＣａ（登録商標）通信を利用すれば、電気錠装置３０から各種ログ情報を携帯電話２０で取得することができる。
【００５４】
そして、携帯電話２０の画面上で電気錠装置３０から取得した各種ログ情報の確認が行え、必要に応じて問い合わせ先端末４０に対してメールにて各種ログ情報を送信すれば、その各種ログ情報から問い合わせ先端末４０が問い合わせ内容を解析し、その後の指示が携帯電話２０に伝達される。この携帯電話２０に対する指示は、例えば担当者が直接携帯電話２０に電話したり、メールの返信によって行うことができる。
【００５５】
このように、本例の電気錠システム１では、携帯電話２０のＦｅｌｉＣａ（登録商標）通信を利用して、電気錠装置３０との間で非接触通信を行い、携帯電話２０の画面上で、初期設定及び設定変更を行う。また、本システムは、携帯電話専用のアプリを配信サーバ１０から配信するので、市販の携帯電話２０で利用できる。さらに、携帯電話２０は、必要に応じて電気錠装置３０から各種ログ情報の収集も行い、収集したログ情報をそのまま携帯電話２０の通信機能を利用して所望のアドレス先にメール送信することができる。
【００５６】
そして、本例の電気錠システム１では、日常持ち歩く携帯電話２０を利用するので、従来のような専用の入力端末を用意する必要がなく、現場への持ち忘れもなくなり、導入費用、維持・管理からも解放される。しかも、日常から使い慣れた携帯電話２０を使用するので、使用者の苦手意識を払拭することができる。さらに、携帯電話２０の通信機能を応用することで、問い合わせの対応が早くなる。そして、既に市場で実績のあるＦｅｌｉＣａ（登録商標）通信技術を応用するので、開発時のリスクも少なくすることができる。
【図面の簡単な説明】
【００５７】
【図１】本発明に係る電気錠システムの概略構成を示すブロック図である。
【図２】本発明に係る電気錠システムの設定用アプリのインストールに関する動作フローチャートである。
【図３】本発明に係る電気錠システムの設定に関する動作フローチャートである。
【図４】本発明に係る電気錠システムのログ情報の収集に関する動作フローチャートである。
【図５】本発明に係る電気錠システムの具体的な構成例を示す図である。
【図６】従来の電気錠システムの構成を示す図である。
【符号の説明】
【００５８】
１  電気錠システム
１０  配信サーバ
１１  データベース
２０  携帯電話
２１  操作部
２２  非接触通信部
２３  制御部
２４  記憶部
２５  表示部
２６  報知部
３０  電気錠装置
３１  非接触通信部
３２  記憶部
３３  制御部
３４  報知部
３５  施解錠機構
３６  電源部
４０  問い合わせ先端末
５０  ＩＤキー
【図１】
2009019423.tif 000003
【図２】
2009019423.tif 000004
【図３】
2009019423.tif 000005
【図４】
2009019423.tif 000006
【図５】
2009019423.tif 000007
【図６】
2009019423.tif 000008